(57)【要約】【課題】薬剤や活性化物質の定量的な管理を自動的に行なうことができる浄化装置の滅菌処理システムを提供することをその課題とする。【解決手段】水又は湯の浄化装置３において、シーケンシャルコントロールやプロセスコントロールによって水系循環部のみを殺菌するフラッシュモード処理、装置全体の殺菌モード処理又は静菌モード処理、あるいは滅菌、洗浄後にさらに薬剤を含まないすすぎ工程を追加したクリーニングモードを設けたことを特徴とする。【選択図】図１
2005238171.tif 000002
【特許請求の範囲】
【請求項１】
水又は湯の浄化装置において、シーケンシャルコントロールやプロセスコントロールによって水系循環部のみを殺菌するフラッシュモード処理を設けたことを特徴とする浄化装置の滅菌処理システム。
【請求項２】
水又は湯の浄化装置において、シーケンシャルコントロールやプロセスコントロールによって装置全体の滅菌を行なう殺菌モード処理を設けたことを特徴とする浄化装置の滅菌システム。
【請求項３】
水又は湯の浄化装置において、シーケンシャルコントロールやプロセスコントロールによって装置全体の静菌を行なう静菌モード処理を設けたことを特徴とする浄化装置の滅菌処理システム。
【請求項４】
水又は湯の浄化装置において、装置全体から滅菌処理システムのみを閉塞させて閉ループの配管経路とし、シーケンシャルコントロールやプロセスコントロールによって滅菌処理システム内のみにおいて、薬剤による滅菌及び洗浄工程を行い、その後さらに薬剤を含まないすすぎ工程を追加したクリーニングモード処理を設けたことを特徴とする浄化装置の滅菌システム。浄化装置の滅菌処理システム。
【発明の詳細な説明】
【技術分野】
【０００１】
本発明は、湯又は水の浄化装置の管路に循環する水を取りこんで目的別に処理する浄化装置の滅菌処理システムに関するものである。
【背景技術】
【０００２】
従来、一定の施設に設けられた浄化装置を滅菌する場合、塩素剤（次亜塩素酸）のような薬剤を投入することが多く、また上記施設や装置を洗浄するときは、手作業で行なう場合が多い。
【０００３】
ところで、塩素剤（次亜塩素酸）を投入する場合は、ある決められた時間（人が使用しない時）に、自動投入装置によって投入することや、人が手作業で投げ込むことが行なわれている。しかも、単に、装置中に一定の時間に、一定の量の薬剤を投入する方法が取られているにすぎない。
【０００４】
また、洗浄する場合は、一定の長い期間をおいて、大掃除の意味あいで、装置の水を全て落とし、念入りにブラッシング、また、別の洗浄剤で洗浄し、すすぎ等を手動で行い、装置の清浄を維持するようにしていることが多い。
【発明の開示】
【発明が解決しようとする課題】
【０００５】
しかしながら、従来の滅菌処理や洗浄処理には次のような問題があった。
（１）人為的に行なうものであるため、間違え、忘れにより、滅菌が不充分になる。
（２）人為的ミスにより高濃度の薬剤となると、危険性がないとはいえない。
（３）定量的な管理が難しい為、確実性や安全性における信頼性が乏しい。
【０００６】
本発明は上記問題点を解消し、薬剤や活性化物質の定量的な管理を自動的に行なうことができる浄化装置の滅菌処理システムを提供することをその課題とする。
【課題を解決するための手段】
【０００７】
前記課題を解決するため、本発明に係る浄化装置の滅菌処理システムは、水又は湯の浄化装置において、シーケンシャルコントロールやプロセスコントロールによって水系循環部のみを殺菌するフラッシュモード処理を設けたことを特徴とする。
【０００８】
また、本発明に係る浄化装置の滅菌処理システムは、水又は湯の浄化装置において、シーケンシャルコントロールやプロセスコントロールによって装置全体の滅菌を行なう殺菌モード処理を設けるようにしてもよい。
【０００９】
さらに、本発明に係る浄化装置の滅菌処理システムは、水又は湯の浄化装置において、シーケンシャルコントロールやプロセスコントロールによって装置全体の静菌を行なう静菌モード処理を設けるようにしてもよい。
【００１０】
さらに、本発明に係る浄化装置の滅菌処理システムは、水又は湯の浄化装置において、装置全体から滅菌処理システムのみを閉塞させて閉ループの配管経路とし、シーケンシャルコントロールやプロセスコントロールによって滅菌処理システム内のみにおいて、薬剤による滅菌及び洗浄工程を行い、その後さらに薬剤を含まないすすぎ工程を追加したクリーニングモード処理を設けるようにしてもよい。
【実施例】
【００１１】
図１に本発明に係る滅菌処理システムの構成を示す。符号１は既存装置の浄化装置付浴槽、２は浴槽（最大３０００リットル）、３は浄化装置である。この浄化装置付浴槽１が本滅菌処理システムの導入対象である。通常は浴槽２と浄化装置３とは循環用管路４、５で連結され、浴槽水は浄化装置に流入して浄化された後、再び浴槽に戻るように構成されている。浄化装置には公知の浄化装置が取り付けられている。
【００１２】
このように、浄化装置付浴槽１の中で循環している浴槽水は浄化装置３で浄化されて浴槽２へ流入するように構成されているが、浄化された浴槽水を管路５の途中から循環ポンプ６の動力により、滅菌処理システム７内に取り込まれる。
【００１３】
次に、循環用管路５の途中に１本の滅菌用管路ａの一端と他端とを接続し、この滅菌用管路ａの上流側には滅菌用薬剤と活性化物質とを定量投入する投入部９が配置され、その下流側には処理用液を通過させる酸化チタンコート管路１３が配置されている。
【００１４】
滅菌処理システム７内に取り込まれた水は、開き作動したモーターバルブ５ａ、５ｂを通り、浄化フィルタ８でさらに浄化され、投入部９に移送される。投入部９において定量ポンプ１０ａによりジクロロ酸系薬剤（ピュオロジエン）が投入され、さらに定量ポンプ１０ｂによりクエン酸が投入され、続いてオゾン発生機１１により発生したオゾンが必要な一定量だけ投入される。なお、１２は逆止弁である。なお、オゾン発生機１１から管路１１´の経路を通り、循環ポンプ６の下流に投入することもある。
【００１５】
全ての薬剤が投入された水は、循環ポンプ６を通り、酸化チタンコート管路１３に送り込まれる。酸化チタンコート管路１３は、内面を酸化チタンで覆われており、紫外線ランプ１４により紫外線を照射された酸化チタンが活性化した場を作る。薬剤が投入された浴槽水は、この活性化した場を通過した後、キャニスター１５で溶存していないオゾン等の気体を分離し、さらに三方モーター弁１６、モーターバルブ５ｂを通過し、浄化装置付浴槽１の循環処理用液４、５へ戻る。浴槽に戻った水は、投入された薬剤により滅菌され、かつ、薬剤濃度が低い安全な水となっている。
【００１６】
なお、キャニスター１３で分離されたオゾンはオゾンフィルター１７で濾過され、浄化されたエアが大気に排出される。
【００１７】
上記滅菌処理システムの工程によれば、ピュオロジエン８の滅菌効力をクエン酸、オゾン、紫外線、酸化チタンの活性力により、１０００倍（理論計算値）以上に増強させる効果が得られる。したがって、薬剤濃度は低くてもよいから、浴槽においても、滅菌・消毒効果が最大限保持され、安全な毒性のない浴槽水が保持され、またコスト面においても、最小限の経費で管理運営を行なうことができる。
【００１８】
ところで、上述の滅菌処理システムは、次の４つの処理モードを備えている。
（１）フラッシュモード：既設の浄化装置３も含め完全滅菌する。
（２）殺菌モード：あるインターバルで浴槽２を含む全循環システムを強力殺菌する。
（３）静菌モード：全循環内の菌を増殖させず、浴槽２内に菌を発生させない。
（４）セルフクリーニングモード：あるインターバルで滅菌処理システム内を滅菌および
洗浄する。
【００１９】
次に、上記各モードの作動態様について説明する。
【００２０】
フラッシュモードは、既設浄化装置３も含め完全滅菌する処理モードであり、このモードへの切替およびスタートは手動によって行なえばよい。
【００２１】
すなわち、このモードをスタートさせる前に、浴槽２を空状態にし、浴槽２の循環口である入口と出口をパイプでつなぎ、循環用管路４、５の水が浴槽２内に入りこまないようにする。スタートさせると薬剤濃度５ｐｐｍで、７５ミリリットル／分×１０分の条件でピュオロジエンとクエン酸をそれぞれ供給する。オゾン発生機１１は連続稼動させて１時間循環させ、本モードの完了となる。本モード稼動中はワーニングとしてランプの点灯、ブザーが連続作動する。
【００２２】
殺菌モードは、あるインターバルで浴槽２を含む全循環システムを強力殺菌する処理モードであり、タイマーにより全自動で稼動する。
【００２３】
すなわち、タイマーは、月単位、週単位に決まった時間でスタート、もしくは稼動後、数日間（最大３０日）停止するようにセットできる。殺菌モードがスタートすると、浴槽量最大３０００リットルとして薬剤濃度０．５ｐｐｍで、７．５ミリリットル／分×１０分の条件でピュオロジエン８とクエン酸９を供給する。本モードでもフラッシュモードと同様にワーニング（警告）を行い、入浴を禁止する。
【００２４】
静菌モードは、全循環内の菌を増殖させず、浴槽２内に菌を発生させない処理モードであり、タイマーにより全自動で稼動する。
【００２５】
すなわち、タイマーは、毎日同一時刻にスタートするようにセットする。スタート初日は、薬剤濃度０．１ｐｐｍで、７．５ミリリットル／分×２分の条件でピュオロジエン８とクエン酸９を供給する。４日間で薬剤濃度は５０％減となるので、毎日均等に４回で薬剤濃度５０％に相当する１５０ミリリットルを補充するために、スタート２日目からは、１５０ミリリットル／分×１５秒の条件で薬剤を供給する。本モードは、通常時（入浴時）に連続稼動させるモードである。
【００２６】
セルフクリーニングモードは、あるインターバルで本滅菌処理システム（浄化装置付浴槽１を除くシステム）内を滅菌、洗浄する処理モードであり、タイマーにて全自動で稼動する。タイマーは、静菌モードと同様に、毎日同一時刻にスタートするようにセットする。スタートすると、モーターバルブ５ａ、５ｂを閉じ、モーターバルブ５ｃを開け、本滅菌処理システムを浄化装置付浴槽内に水が入り込まないような閉ループの配管形態とする。
【００２７】
閉ループ設定が完成すると、薬剤濃度５ｐｐｍの数倍狙いで７．５ミリリットル／分×１０分の条件でピュオロジエンとクエン酸を供給する。１時間循環させた後、３方モーター弁１６を切り換え、また、モーターバルブ５ａを開にし、モーターバルブ５ｃを閉じ、５分間すすぎ洗浄（ドレイン１９から約５０リットル排水）して完了する。
【００２８】
なお、上述の投入部の定量ポンプやオゾン発生器の作動時間のコントロールや、モードの設定、切り替え、作動などはシーケンシャルコントロールやプロセスコントロールで制御すればよい。
【００２９】
上記滅菌処理システムによれば、次のような効果を期待することができる。
（１）定量的な管理を可能とする。
（２）完全自動コントロールによる効果的な薬剤及び添加物の投入を可能とする。
（３）必要に応じたモード処理を自動的に実行し、その工程を管理する。
（４）必要最小限の薬剤濃度を設定し、その都度、最適なモード設定により、安全かつ、最小限の経費で管理運営をすることができる。
【産業上の利用可能性】
【００３０】
本発明に係る滅菌処理システムは、浴場用滅菌装置、プール用滅菌装置、食品殺菌装置、排水処理装置、飲料水殺菌装置、飲料調理水加工装置、機能水・活性水生成装置の用途にも適用できる。
【図面の簡単な説明】
【００３１】
【図１】本発明に係る滅菌処理システムの例のブロック図である。
【符号の説明】
【００３２】
ａ    滅菌用管路
２    浴槽
３    浄化装置
９    投入部
１３    酸化チタンコート管路
【図１】
2005238171.tif 000003